(57)【要約】【課題】従来の乗り物用の飲料容器保持具に、上方から下方に向かって狭まるようにテーパーが付いたカップを保持させようとすると、斜めに傾いたり、ずり上がったりして確実に保持することができないといった不具合があった。【解決手段】ホルダ（２）の内側の周壁面上部に固定されて備えられたサポート部（３）は、縦長薄板状で弾性材料からなる第１フラップ（３ａ）が下側に、縦長薄板状でＡＢＳ樹脂などの硬質材料からなる第２フラップ（３ｂ）が上側に位置するように上下に重ね合わされて構成され、上下に重ね合わせられた第１フラップ（３ａ）と第２フラップ（３ｂ）とは、接合部（３ｃ）においてのみ部分的に接合したことで、テーパーが付いたカップ（４）であっても確実に保持し、出し入れのし易い使い勝手に優れた乗り物用飲料容器ホルダを提供することを可能とした。【選択図】図１１
2018118636.tif 000002
【特許請求の範囲】
【請求項１】
本体は、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の略中央の接合部においてのみ第１フラップと部分的に接合されていることを特徴とする乗り物用飲料容器ホルダ。
【請求項２】
本体は、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の略中央から下方の範囲を接合部としたことで解決される。
【請求項３】
本体は、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の略中央の接合部においてのみ第１フラップと部分的に接合され、ホルダに飲料容器をいれたときに、飲料容器の底面によって第２フラップの開放端部近傍が押されることで、接合部からホルダへの固定側の弾性材料からなる第１フラップが湾曲して変形すると同時に第２フラップが第１フラップから離間して飲料容器の側面に添うように当接するとともに第１フラップと第２フラップとで飲料容器の側面を飲料容器の平面視中心方向に向かって付勢力を生じさせることを特徴とする乗り物用飲料容器ホルダ。
【請求項４】
本体は、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の略中央から下方の範囲を接合部とし、ホルダに飲料容器をいれたときに、飲料容器の底面によって第２フラップの開放端部近傍が押されることで、接合部からホルダへの固定側の弾性材料からなる第１フラップが湾曲して変形すると同時に第２フラップが第１フラップから離間して飲料容器の側面に添うように当接するとともに第１フラップと第２フラップとで飲料容器の側面を飲料容器の平面視中心方向に向かって付勢力を生じさせることを特徴とする乗り物用飲料容器ホルダ。
【発明の詳細な説明】
【技術分野】
【０００１】
本発明は、自動車などの乗り物で飲料容器を保持するためのホルダに関し、特にコンビニエンスストアなどの売店で販売されるテーパーの付いたコーヒー等のカップを好適に保持することができる乗り物用飲料容器ホルダに関する。
【背景技術】
【０００２】
従来、自動車などの乗り物で缶飲料やペットボトルなどの飲料容器を保持するためのホルダが多々提案されている。一般的に販売されている缶飲料やペットボトルなどの飲料容器は、容量などによって異なる外径のものが存在するために、何れの外径の飲料容器であってもグラつかず適切に保持するための工夫が施されている。例えば、実開平６−６３４３２号公報（特許文献１）に開示される車載用飲料容器ホルダの図１及び図２、そして段落番号００１４には、保持壁部２２の後端上部には飲料容器（図示せず）の径に応じて飲料容器の保持状態を確保する保持片２８が軸２９を介して回動可能に装着されていることが開示され、これによって外径の異なる飲料容器をグラつかずに適切に保持することができる。
【０００３】
図１６は、従来例を示す図で前記の保持片（以下「フラップ」という）が備えられたホルダをわかりやすく説明したものである。飲料容器の収容部であるホルダの内壁面上部にはＡＢＳ樹脂などで形成されたフラップが水平方向から垂直方向に回動可能に装着されており、フラップは常に水平方向に位置するようにスプリングによって付勢されている（図示せず）。細缶を保持させた場合はフラップが水平状態となって、上方からの間口を狭めることで細缶（外径５３ｍｍ）をグラつかず適切に保持することができる。他方、太缶（外径６６ｍｍ）を保持させた場合は、太缶を入れるに伴ってフラップが下方に回動して上方からの間口を広げるとともに太缶の平面視中心方向に向かって付勢力が生じることでグラつかず適切に保持することができる。
【０００４】
図２０は、従来例を示す図で図１６とは異なる方法でカップを保持させる例を示したものである。飲料容器の収容部である飲料容器の収容部である飲料容器の収容部であるホルダの内壁面上部にはシリコンゴムなどの弾性材料から形成されたフラップが装着されており、缶のサイズに応じてフラップが撓むことでカップの平面視中心方向に向かって付勢力が生じてグラつかず適切に保持することができる。
【先行技術文献】
【特許文献】
【０００５】
【特許文献１】実開平６−６３４３２号公報
【発明の概要】
【発明が解決しようとする課題】
【０００６】
ところで昨今、コンビニエンスストアなどの売店でカップで供されるドリップコーヒーやエスプレッソコーヒーが人気を博し、自動車などの乗り物で飲むケースが多くなっている。しかしながらこのようなコーヒーのカップは、ホットコーヒーであれば紙カップ、アイスコーヒーであればプラスチックカップで、何れも上方から下方に向かって狭まるようにテーパーが付いており、このようなカップを従来の飲料容器ホルダに保持させると斜めになったりして確実に保持することができないといった不具合が生じていた。
【０００７】
図１７から図１９は、図１６に示された従来例のホルダにカップを保持した状態を示す図である。図１７は、カップ内のコーヒーが多い状態、図１８及び図１９は、カップ内のコーヒーが少ない状態を示している。図１７に示されるようにカップ内にコーヒーが沢山入った状態では、その重量によってホルダ内に適切に保持される。他方、図１８及び図１９に示されるようにカップ内のコーヒーが少ない状態においては、カップにテーパーが付いていること、カップが紙やプラスチックで形成されていて軽いこと、保持片に常に水平方向に戻ろうと付勢されていることとが相まって、図１８に示されるようにカップが斜めに保持されたり、走行時の揺れや振動に伴って図１９示されるようにカップが徐々に上方にずり上がったりしてしまうという不都合があった。
【０００８】
図２１から図２３は、図２０に示された従来例のホルダにカップを保持した状態を示す図である。フラップは、飲料容器の収容部であるホルダの内壁面上部に端部が固定され、他端側の先端部は斜め下方かつホルダの中央に向かってシリコンゴムなどの弾性材料から形成されている。図２１の状態からカップを下方に押し込むことで図２２に示されるようにフラップが撓むことでフラップの先端にカップの平面視中心方向に向かって付勢力が生じてグラつかず適切に保持することができる。また、弾性材料で形成されたフラップは、素材自体の摩擦係数が高いため図１９に示されるように上方にずり上がってしまうことはない。しかしながら、図２３に示されるようにカップを上方に引き上げて取り出そうとすると、フラップがその先端に向かって下方を向いていることと、カップとの当接部分の摩擦力を高いことからカップの取り出し方向に対して引っかかりが生じて、カップの取り出しを阻害することになる。このときフラップは弾性があるので図２３に示すように異様に変形してより一層カップの取り出しを困難にしてしまうという不都合があった。
【０００９】
そこで本発明は、かかる課題を考慮し、テーパーが付いたコーヒー等のカップをも確実に保持すると同時に取り出しも容易とした乗り物用飲料容器ホルダを提供することを目的としている。
【課題を解決するための手段】
【００１０】
本発明の請求項１においては、本体は、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の略中央の接合部においてのみ第１フラップと部分的に接合されていることで解決される。
【００１１】
本発明の請求項２においては、本体は、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の略中央から下方の範囲を接合部としたことで解決される。
【００１２】
本発明の請求項３においては、本体は、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の略中央の接合部においてのみ第１フラップと部分的に接合され、ホルダに飲料容器をいれたときに、飲料容器の底面によって第２フラップの開放端部近傍が押されることで、接合部からホルダへの固定側の弾性材料からなる第１フラップが湾曲して変形すると同時に第２フラップが第１フラップから離間して飲料容器の側面に添うように当接するとともに第１フラップと第２フラップとで飲料容器の側面を飲料容器の平面視中心方向に向かって付勢力を生じさせることで解決する。
【００１３】
本発明の請求項４においては、本体は、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の略中央から下方の範囲を接合部とし、ホルダに飲料容器をいれたときに、飲料容器の底面によって第２フラップの開放端部近傍が押されることで、接合部からホルダへの固定側の弾性材料からなる第１フラップが湾曲して変形すると同時に第２フラップが第１フラップから離間して飲料容器の側面に添うように当接するとともに第１フラップと第２フラップとで飲料容器の側面を飲料容器の平面視中心方向に向かって付勢力を生じさせることで解決する。
【発明の効果】
【００１４】
本発明によれば、飲料容器の収容部であるホルダと、ホルダに入れた飲料容器がグラつかないように保持するサポート部とからなる乗り物用飲料容器ホルダにおいて、ホルダは、周壁と底面からなるとともに上方を開放して形成され、 サポート部は、縦長薄板状で弾性材料からなる第１フラップが下側に、縦長薄板状でＡＢＳ樹脂などの硬質材料からなる第２フラップが上側に位置するように上下に重ね合わされて構成され、第１フラップ短手方向の一辺がホルダの内側の周壁面上部に固定されるとともに逆側はホルダの平面視中央に向かって斜め下方に延設して開放端部として備えられ、上下に重ね合わせられた第１フラップと第２フラップとは、第２フラップの長手方向の接合部においてのみ第１フラップと部分的に接合されているので、ホルダに飲料容器をいれたときに、飲料容器の底面によって第２フラップの開放端部近傍が押されることで、接合部からホルダへの固定側の弾性材料からなる第１フラップが湾曲して変形すると同時に第２フラップが第１フラップから離間して飲料容器の側面に添うように当接するとともに第１フラップと第２フラップとで飲料容器の側面を飲料容器の平面視中心方向に向かって付勢力を生じさせることになり、缶飲料やペットボトルのほか、上方から下方に向かって狭まるようにテーパーが付いたカップであっても確実に保持し出し入れのし易い使い勝手に優れた乗り物用飲料容器ホルダを提供することを可能とした。
【図面の簡単な説明】
【００１５】
【図１】乗り物用飲料容器ホルダの本体の構成を示す図である。
【図２】サポート部の詳細説明図である。
【図３】図２（Ｂ）に示されるＹ方向視の矢印の方向から見た図である。
【図４】図２（Ｂ）に示されるＸ方向視の矢印方向から見た図である。
【図５】接合部を図２乃至図４とは異なる方法で接合した状態を示した図である。
【図６】接合部を図２乃至図４とは異なる方法で接合した状態を示した図である。
【図７】サポート部の動作状態を示す図である。
【図８】飲料容器のカップを保持させる過程を示す図である。
【図９】飲料容器のカップを保持させる過程を示す図である。
【図１０】飲料容器のカップを保持させる過程を示す図である。
【図１１】飲料容器のカップを保持させる過程を示す図である。
【図１２】飲料容器のカップを保持させる過程を示す図である。
【図１３】飲料容器の細缶を保持させた状態を示す図である。
【図１４】飲料容器の太缶を保持させた状態を示す図である。
【図１５】ホルダの内壁面上部に備えられたサポート部の数や配置を示す図である。
【図１６】従来例のホルダを示す図である。
【図１７】従来例のホルダにカップを保持した状態を示す図である。
【図１８】従来例のホルダにカップを保持した状態を示す図である。
【図１９】従来例のホルダにカップを保持した状態を示す図である。
【図２０】従来例のホルダをを示す図である。
【図２１】従来例のホルダにカップを保持した状態を示す図である。
【図２２】従来例のホルダにカップを保持した状態を示す図である。
【図２３】従来例のホルダにカップを保持した状態を示す図である。
【発明を実施するための形態】
【実施例１】
【００１６】
本発明の第１実施例について、図面を参照して詳細に説明する。図1は、本発明の自動車用飲料容器ホルダの本体の構成を示す図である。本体（１）は、飲料容器の収容部であるホルダ（２）、ホルダ（２）に入れた飲料容器をグラつかないようにサポートして保持するサポート部（３）とからなる。
【００１７】
図２は、サポート部（３）の詳細説明図である。図２（Ａ）は、第１フラップ（３ａ）と第２フラップ（３ｂ）とを分解した状態、図２（Ｂ）は、図２（Ａ）の状態の第１フラップ（３ａ）と第２フラップ（３ｂ）とを接合した状態を示している。また図３は、図２（Ｂ）に示されるＹ方向視の矢印方向から見た図で、第１フラップ（３ａ）と第２フラップ（３ｂ）を左右に分解した状態で示している。さらに図４は、 図２（Ｂ）に示されるＸ方向視の矢印方向から見た図で、第１フラップ（３ａ）と第２フラップ（３ｂ）を接合した状態で示している。
【００１８】
図２（Ａ）（Ｂ）に示されるようにサポート部（３）は、ホルダ（２）の内壁面上部に端部が固定されて備えられるとともに、第１フラップ（３ａ）と第２フラップ（３ｂ）とから構成される。第１フラップ（３ａ）は、ホルダ（２）の内壁面上部に端部が固定されて備えられ、シリコンゴムなどの湾曲変形可能な弾性材料からなる。第２フラップ（３ｂ）は、飲料容器の側面に当接するための部材で、第１フラップ（３ａ）と接合部（３ｃ）で部分的に接合されＡＢＳ樹脂などの硬質の材料からなる。
【００１９】
接合部（３）は、第１フラップ（３ａ）の長手方向の略中央に備えられた接合突起部（３ｂ−１）を第２フラップ（３ｂ）に備えられた接合穴部（３ａ−１）に嵌めることで接合される。第１フラップ（３ａ）は弾性材料からなるので第２フラップ（３ｂ）の接合突起部（３ｂ−１）を容易に嵌め込むことができる。
【００２０】
図５及び図６は、接合部（３ｃ）を図２乃至図４とは異なる方法で接合した状態を示した図である。図５に示された接合部（３ｃ）は、図２乃至図４で接合した場所と同じ場所を接着やダボ（図示せず）などの方法で接合した状態を示している。図５においては左右幅方向に渡って接合（斜線部分）されているが、図２乃至図４のように中央部だけ接合されていてもよいし、左右の両端だけ接合されていても差し支えないことを示すものであって図２乃至図４の接合方法に限らない。図６に示された接合部（３ｃ）は、図２乃至図４で接合した場所から下方に渡って第１フラップ（３ａ）と第２フラップ（３ｂ）とが接する部分を接合した状態を示している。要は、図４乃至図６中に示される離間可能部分が備えられれば、接合方法を特に限定するものではないのである。
【００２１】
図７は、サポート部（３）の動作状態を示す図である。図７（Ａ）は、図１に示されるように飲料容器が保持されておらず何ら負荷のかかっていない状態を示している。また、図７（Ｂ）（Ｃ）は、飲料容器をホルダ（２）に入れることによって飲料容器の底が第２フラップ（３ｂ）の下方部分に接して図中の矢印方向に負荷がかかると、それに伴って弾性材料からなる第１フラップ（３ａ）が湾曲して変形し、第１フラップ（３ａ）と第２フラップ（３ｂ）の接合部（３ｃ）よりも上方部分が離間することを示している。離間することにより第２フラップ（３ｂ）が飲料容器の側面に添うように当接するとともに飲料容器の平面視中心方向に向かって付勢力が生じて確実に保持することになる。
【００２２】
図８乃至図１２は、飲料容器のカップ（４）を保持させる過程を示す図である。この過程によってサポート部（３）の第１フラップ（３ａ）と第２フラップ（３ｂ）の動作状態を明らかにするものである。図８は、カップ（４）をホルダ（２）にこれから挿入しようとするところでサポート部（３）が動作していない状態、図９は、カップ（４）をホルダ（２）に挿入しかけた状態で既にサポート部（３）の第２フラップ（３ｂ）がカップ（４）のテーパーに沿っている状態、図１０は、カップ（４）を図９よりもさらにホルダ（２）に挿入した状態で図９同様に第２フラップ（３ｂ）がカップ（４）のテーパーに沿っている状態、図１１は、カップ（４）を図１０よりもさらにホルダ（２）に挿入した状態で図１０同様に第２フラップ（３ｂ）がカップ（４）のテーパーに沿っている状態、図１２は、カップ（４）がホルダ（２）に完全に保持された状態で図９乃至図１１同様に第２フラップ（３ｂ）がカップ（４）のテーパーに沿って保持している状態を示している。
【００２３】
このように図８乃至図１２に示されるように、ホルダ（２）へのカップ（４）の挿入に伴って第２フラップ（３ｂ）の下方部分が押されることで弾性材料からなる第１フラップ（３ａ）が湾曲して変形し、第１フラップ（３ａ）と第２フラップ（３ｂ）の接合部（３ｃ）よりも上方部分が離間することで第２フラップ（３ｂ）全体がカップ（４）のテーパーの側面に添うように当接するとともに飲料容器の平面視中心方向に向かって付勢力が生じて確実に保持することになる。また、カップ（４）をホルダ（２）から取り出すときは、第２フラップ（３ｂ）がＡＢＳ樹脂などの硬質の材料からなり摩擦力は低いので引っ掛かることなくスムーズに引き上げて取り出すことができる。
【００２４】
図１３は、飲料容器の細缶を保持させた状態、図１４は、飲料容器の太缶を保持させた状態を示した図である。本発明の自動車用飲料容器ホルダにおいては、前記したテーパーの付いたカップ（４）以外の細缶や太缶、ペットボトル（図示せず）など飲料容器であっても確実に保持することができる。
【００２５】
図１５は、ホルダ（２）の内壁面上部に備えられたサポート部の数や配置を示した図である。図５（Ａ）は、ホルダ（２）の内壁面の円周上にサポート部（３）を１つ備えた状態、図５（Ｂ）は、ホルダ（２）の内壁面の円周上にサポート部（３）を等間隔に３つ備えた状態、図５（Ｃ）は、ホルダ（２）の内壁面の円周上にサポート部（３）を等間隔に４つ備えた状態を示した図である。何れの状態においても飲料容器、特にカップを保持する効果に変わりはないが、図１５（Ｂ）（Ｃ）のように複数のサポート部（３）で飲料容器の周囲を保持するようにすればより確実に飲料容器を安定して保持することができる。
【００２６】
なお、本発明の自動車用飲料容器ホルダは、センターコンソールやダッシュボードの上面への置型タイプ、エアコン吹き出し口装着タイプなど様々なタイプとして幅広く適用することができる。また、自動車用に限らず、オートバイ、自転車、船舶、航空機、鉄道車両など乗り物用の飲料容器ホルダーとして幅広く適用することができる。
【符号の説明】
【００２７】
１  本体
２  ホルダ
３  サポート部
３ａ  第１フラップ
３ａ−１  接合穴部
３ｂ  第２フラップ
３ｂ−１  接合突起部
３ｃ  接合部
４  カップ
【図１】
2018118636.tif 000003
【図２】
2018118636.tif 000004
【図３】
2018118636.tif 000005
【図４】
2018118636.tif 000006
【図５】
2018118636.tif 000007
【図６】
2018118636.tif 000008
【図７】
2018118636.tif 000009
【図８】
2018118636.tif 000010
【図９】
2018118636.tif 000011
【図１０】
2018118636.tif 000012
【図１１】
2018118636.tif 000013
【図１２】
2018118636.tif 000014
【図１３】
2018118636.tif 000015
【図１４】
2018118636.tif 000016
【図１５】
2018118636.tif 000017
【図１６】
2018118636.tif 000018
【図１７】
2018118636.tif 000019
【図１８】
2018118636.tif 000020
【図１９】
2018118636.tif 000021
【図２０】
2018118636.tif 000022
【図２１】
2018118636.tif 000023
【図２２】
2018118636.tif 000024
【図２３】
2018118636.tif 000025